(57)【要約】【課題】  電池劣化抑制のために継ぎ足し充電をしない処理を行う電子機器において、充電制御を一時中断したのち再開した場合に、満充電になるまで充電できるようにする。【解決手段】  撮像装置（１００）は、ＵＳＢ接続部を介して受け取った電力で電池を充電する充電手段と、電池の充電を開始する際に、電池残量を充電開始の条件として使用するか否かを充電が直前に停止した要因に基づいて判定する判定手段とを有する。【選択図】  図１
2019191441.tif 000002
【特許請求の範囲】
【請求項１】
ＵＳＢ接続部を介して受け取った電力で電池を充電する充電手段と、
前記電池の充電を開始する際に、電池残量を充電開始の条件として使用するか否かを充電が直前に停止した要因に基づいて判定する判定手段と
を有することを特徴とする撮像装置。
【請求項２】
レンズ着脱が充電停止の要因である場合は、次に充電開始する際の充電開始判定に電池残量を用いないようにすることを特徴とする請求項１に記載の撮像装置。
【請求項３】
センサークリーニングが充電停止の要因である場合は、次に充電開始する際の充電開始判定に電池残量を用いないようにすることを特徴とする請求項１に記載の撮像装置。
【請求項４】
満充電と判定して充電停止した場合以外の場合は、次に充電開始する際の充電開始判定に電池残量を用いないようにすることを特徴とする請求項１に記載の撮像装置。
【発明の詳細な説明】
【技術分野】
【０００１】
本発明は、電池を充電することができる撮像装置に関するものである。
【背景技術】
【０００２】
特許文献１には、電池の過熱を抑えるために、主制御手段が動作している場合に充電動作を禁止し、主制御手段が動作していない場合に充電動作を許可する方法が記載されている。
【先行技術文献】
【特許文献】
【０００３】
【特許文献１】特開２０１０−８１７９０号公報
【発明の概要】
【発明が解決しようとする課題】
【０００４】
しかしながら、特許文献１に記載されている方法では、電池劣化抑制のために継ぎ足し充電をしない処理と組み合わされた場合、充電中に一定以上の残量がある状態で消費電力の大きい処理をさせると充電が再開されず、満充電にならない。
【０００５】
そこで、本発明は、電池劣化抑制のために継ぎ足し充電をしない処理を行う電子機器において、充電制御を一時中断したのち再開した場合に、満充電になるまで充電できるようにすることを目的とする。
【課題を解決するための手段】
【０００６】
本発明に係る撮像装置は、ＵＳＢ接続部を介して受け取った電力で電池を充電する充電手段と、前記電池の充電を開始する際に、電池残量を充電開始の条件として使用するか否かを充電が直前に停止した要因に基づいて判定する判定手段とを有する。
【発明の効果】
【０００７】
本発明によれば、電池劣化抑制のために継ぎ足し充電をしない処理を行う電子機器において、充電制御を一時中断したのち再開した場合に、満充電になるまで充電することができる。
【図面の簡単な説明】
【０００８】
【図１】実施形態１および他の実施形態における撮像装置１００および充電装置１４０の構成例を説明するためのブロック図である。
【図２】実施形態１および他の実施形態における電池１０７の構成例を説明するためのブロック図である。
【図３】実施形態１における撮像装置１００の動作例を説明するためのフローチャートである。
【図４】実施形態２における撮像装置１００の動作例を説明するためのフローチャートである。
【図５】実施形態３における撮像装置１００の動作例を説明するためのフローチャートである。
【図６】実施形態４における撮像装置１００の動作例を説明するためのフローチャートである。
【発明を実施するための形態】
【０００９】
以下、図面を参照して実施形態を説明する。ただし、本発明は以下の実施形態に限定されるものではない。
【００１０】
［実施形態１］
以下、図１を参照して、実施形態１における撮像装置１００および充電装置１４０の構成例を説明する。なお、実施形態１では、電池１０７がリチウムイオン電池などの二次電池である例を説明する。
【００１１】
ＵＳＢコネクタ１０１は、レセプタクル形状のＵＳＢコネクタである。ＵＳＢコネクタ１０１は、ＵＳＢ（Ｕｎｉｖｅｒｓａｌ  Ｓｅｒｉａｌ  Ｂｕｓ）規格に準拠する。ＵＳＢコネクタ１０１を介して、電力供給線１２０、信号線１２１、不図示のＧＮＤ等が接続される。電力供給線１２０はＶＢＵＳであり、信号線１２１はＤ＋、Ｄ−、ＣＣ、高速差動信号などの信号線を含む。電力供給線１２０は、スイッチ１１２、電源回路１０２、スイッチ１０４を介して、電池１０７に接続される。スイッチ１１２、電源回路１０２、スイッチ１０４は、後述する制御部１１０で制御される。電池１０７の詳細は図２を用いて後述する。
【００１２】
スイッチ１１２は、ＶＢＵＳの電力供給をＯＮまたはＯＦＦするためのスイッチであり、過電圧が印可された場合にスイッチ１１２をＯＦＦにすることで後段の回路に過電圧が印可されないよう制御する。
【００１３】
電源回路１０２は、ＶＢＵＳの電圧を必要な電圧に昇降圧するためのＤＣ／ＤＣコンバータなどで構成される。スイッチ１０４はＶＢＵＳ電圧を昇降圧した電圧を電池１０７および後段の回路部に供給するためのスイッチである。また、電源回路１０２で電圧、電流を制御することで、ＣＣ充電やＣＶ充電、更にはＣＣ充電・ＣＶ充電よりも小さい電流で充電する予備充電などを実現することができる。
【００１４】
検出回路１０３は、ＵＳＢコネクタ１０１にＵＳＢプラグが接続された場合にＶＢＵＳ電圧を検出するための検出回路である。検出回路１０３でＶＢＵＳ印加を検出し、後述する制御部１１０で電源回路１０２やスイッチ１１２および１０４の制御を行う。操作部１０９は、電源スイッチ、レリーズボタン、ダイヤルなどを有する操作部である。電源回路１１３は、電池１０７または電力供給線１２０からの電圧から、撮像装置１００の各構成要素に必要な電圧を生成するための電源回路である。ＤＣ／ＤＣコンバータやレギュレータなどで構成される。
【００１５】
制御部１１０は、充電、放電を制御するための制御部であり、更には充電装置１４０やバッテリーグリップ２００との通信を行う。充電装置１４０と接続する場合、ＵＳＢコネクタ１０１から電力供給を受けて、電池１０７に対して充電制御を行う。制御部１１０は、検出回路１０３でＶＢＵＳを検出した後、電池１０７の電池電圧をモニタし、電源回路１０２を制御することで充電電圧まで昇降圧制御を実施する。
【００１６】
電源判定部１１４は、電池１０７の電圧を監視する電圧監視部と電池１０７の電池種別の判定を実施する判定部で構成される。通知部１１５は、制御部１１０での充電状態判定に従って、音声などにより動作状態を通知するための通知手段である。表示部１１６は、ＬＥＤ等を含めた表示部材であり、制御部１１０での充電状態判定に従って充電制御の状態に応じて表示を実施する。センサークリーニング部１５１は撮像センサをクリーニングするハードウェアで、制御部１１０から制御される。
【００１７】
レンズ接続部１５２は交換式レンズとの接続部で、制御部１１０に対してレンズ着脱の検知やその他レンズ情報を通知する。ＵＳＢ充電装置１４０はプラグ形状のＵＳＢコネクタ１４３を有し、バッテリーグリップ２００のＵＳＢコネクタ１０１に接続が可能である。ＵＳＢコネクタ１４３を介して、電源、および、信号線、ＧＮＤ等が接続される。
【００１８】
電源接続部１４１は、ＡＣプラグであり、商用電源に接続され、電源回路１４２を介して、ＤＣ電源に変換され、ＵＳＢコネクタ１４３を介して、バッテリーグリップ２００または撮像装置１００に供給される。制御部１４４は、電源回路１４２を制御し、バッテリーグリップ２００または撮像装置１００との通信を制御する制御部である。
【００１９】
次に、図２を参照して、実施形態１および他の実施形態における電池１０７の構成例を説明する。
【００２０】
電池１０７は、電池セル１１６と電池制御部１１７とを備えている。電池セル１１６は電池制御部１１７に接続されており、電池セル１１６の正極および負極は電池制御部１１７、電力供給パス１１８および接点部１２０を介して、バッテリーグリップ２００または撮像装置１００に電力供給する。また、電池セル１１６は電池制御部１１７に対して電力供給を実施している。なお、電池セル１１６は複数セルあってもよい。
【００２１】
電池制御部１１７は通信機能部と電池残量を監視する残量検出部を有している。そして、電池制御部１１７は、電池セル１１６に関する様々な電池情報を取得して記憶している。
【００２２】
次に、図３のフローチャートを参照して、実施形態１における撮像装置１００の動作例を説明する。
【００２３】
ステップＳ１０１では、制御部１１０は検出回路１０３でＵＳＢコネクタ１０１にＵＳＢプラグが接続されたことの検知、操作部１０９の状態、電源判定部１１４による電池１０７の電池種別判定の結果、その他の任意の情報を用いて充電開始条件がそろっているか否かを判定する。ステップＳ１０２では、制御部１１０は「継ぎ足し充電抑制の判定フラグ」をＴＲＵＥで初期化した状態で記憶する。このフラグは後述のステップＳ１０３で参照される。
【００２４】
ステップＳ１０３では、「継ぎ足し充電抑制の判定フラグ」がＴＲＵＥならステップＳ１０４に遷移する。ＦＡＬＳＥならステップＳ１０５に遷移する。ステップＳ１０４では、制御部１１０が電池１０７から取得した残量が９５％以下ならステップＳ１０５に遷移する。それ以外の場合はステップＳ１１４に遷移する。実施形態１では９５％を閾値としているが、それ以外でもよい。
【００２５】
ステップＳ１０５では、制御部１１０は電池１０７に対して充電制御を開始する。電池１０７の電圧を取得し、この結果をもとに電源回路１０２で電圧、電流を制御することで、ＣＣ充電やＣＶ充電、更にはＣＣ充電・ＣＶ充電よりも小さい電流で充電する予備充電などの充電制御を実施する。
【００２６】
ステップＳ１０６では、制御部１１０は電池１０７から取得した情報、操作部１０９の状態、その他の任意の情報を用いて充電停止要因があるか否か判定する。たとえば、レンズ着脱でセンサークリーニングする仕様で、かつセンサークリーニング中は充電できない場合はレンズ着脱が充電停止要因の１つとなる。充電停止要因がある場合はステップＳ１０７に遷移する。無い場合はステップＳ１１３に遷移する。
【００２７】
ステップＳ１０７では、ステップＳ１０６で検出した「充電停止要因」を元に「次回継ぎ足し充電抑制の判定をするか否か」を判定する。次回継ぎ足し充電抑制の判定を「する」と判定した場合はステップＳ１０９に遷移する。次回継ぎ足し充電抑制の判定を「しない」と判定した場合はステップＳ１０８に遷移する。ステップＳ１０８では、制御部１１０は「継ぎ足し充電抑制の判定フラグ」をＴＲＵＥに更新する。
【００２８】
ステップＳ１０９では、制御部１１０は「継ぎ足し充電抑制の判定フラグ」をＦＡＬＳＥに更新する。ステップＳ１１０では、制御部１１０は電源回路１０２やスイッチ１１２および１０４の制御を行うことで電池１０７への充電の停止処理を行う。ステップＳ１１１では、充電停止要因に応じた処理を行う。たとえば、レンズ着脱でセンサークリーニングする仕様で、充電停止要因がレンズ着脱だった場合はここでセンサークリーニング部１５１を制御してセンサークリーニングを行う。
【００２９】
ステップＳ１１２では、ステップＳ１０１と同様の内容で充電開始条件がそろっているか否かを判定する。そろっている場合はステップＳ１０３に遷移する。そろっていない場合は終了する。ステップＳ１１３では、ステップＳ１０１と同様の内容で充電開始条件がそろっているか否かを判定する。そろっている場合はステップＳ１０６に遷移する。そろっていない場合は終了する。ステップＳ１１４では、ステップＳ１０１と同様の内容で充電開始条件がそろっているか否かを判定する。そろっている間は判定を繰り返す。そろっていない場合は終了する。
【００３０】
以上説明したように、実施形態１によれば、充電開始時の残量判定「する・しない」を充電停止要因に応じて変えることができる。そのため満充電直前に「充電停止要因」が発生した場合でも、満充電まで充電させることが可能になる。
【００３１】
［実施形態２］
次に、図４のフローチャートを参照して、実施形態２における撮像装置１００の動作例を説明する。実施形態１の説明に用いた図３との差は、破線の四角で囲んだステップＳ１２０）の部分である。なお、実施形態２における撮像装置１００の構成要素は、実施形態１における撮像装置１００の構成要素と同様であるので、それらの説明を省略する。
【００３２】
ステップＳ１２０では、ステップＳ１０６で検出した「充電停止要因」が「レンズ着脱」ならステップＳ１０８に遷移する。
【００３３】
以上説明したように、実施形態２によれば、満充電直前に「レンズ着脱」が発生した場合でも、満充電まで充電させることが可能になる。
【００３４】
［実施形態３］
次に、図５のフローチャートを参照して、実施形態３における撮像装置１００によるＵＳＢ充電の制御フローについて説明する。実施形態１の説明に用いた図３との差は、破線の四角で囲んだステップＳ１３０からステップＳ１３６である。なお、実施形態３における撮像装置１００の構成要素は、実施形態１における撮像装置１００の構成要素と同様であるので、それらの説明を省略する。
【００３５】
ステップＳ１３０では、制御部１１０は電源回路１０２やスイッチ１１２および１０４の制御を行うことで電池１０７への充電の停止処理を行う。ステップＳ１３１では、ステップＳ１０６で検出した「充電停止要因」で発動するのがセンサークリーニングと判定した場合はステップＳ１３２に遷移する。そうでない場合はステップＳ１３４に遷移する。たとえば、レンズ着脱でセンサークリーニングする仕様の場合、充電停止要因がレンズ着脱だった場合にステップＳ１３２に遷移する。
【００３６】
ステップＳ１３２では、制御部１１０は「継ぎ足し充電抑制の判定フラグ」をＦＡＬＳＥに更新する。ステップＳ１３３では、センサークリーニング部１５１を制御してセンサークリーニングを行う。ステップＳ１３４では、制御部１１０は「継ぎ足し充電抑制の判定フラグ」をＴＲＵＥに更新する。ステップＳ１３５では、ステップＳ１０６で検出した「充電停止要因」に応じて発動する処理を行う。ステップＳ１３６では、ステップＳ１０１と同様の内容で充電開始条件がそろっているか否かを判定する。そろっている場合はステップＳ１０３に遷移する。そろっていない場合は終了する。
【００３７】
以上説明したように、実施形態３によれば、満充電直前にセンサークリーニングの要因が発生して、充電を停止した場合でも、満充電まで充電させることが可能になる。
【００３８】
［実施形態４］
次に、図６のフローチャートを参照して、実施形態４における撮像装置１００の動作例を説明する。実施形態１の説明に用いた図３との差は、破線の２か所の四角で囲んだステップＳ１４０からステップＳ１４６である。なお、実施形態４における撮像装置１００の構成要素は、実施形態１における撮像装置１００の構成要素と同様であるので、それらの説明を省略する。
【００３９】
ステップＳ１４０では、制御部１１０は「継ぎ足し充電抑制の判定フラグ」をＦＡＬＳＥで初期化した状態で記憶する。このフラグは後述のステップＳ１０３で参照される。ステップＳ１４１では、制御部１１０は電源回路１０２やスイッチ１１２および１０４の制御を行うことで電池１０７への充電の停止処理を行う。ステップＳ１４２では、ステップＳ１０６で検出した「充電停止要因」が「満充電」だった場合はステップＳ１４３に遷移する。そうでない場合はステップＳ１４４に遷移する。
【００４０】
ステップＳ１４３では、制御部１１０は「継ぎ足し充電抑制の判定フラグ」をＴＲＵＥに更新する。ステップＳ１４４では、制御部１１０は「継ぎ足し充電抑制の判定フラグ」をＦＡＬＳＥに更新する。
【００４１】
ステップＳ１４５では、ステップＳ１０６で検出した「充電停止要因」に応じて発動する処理を行う。たとえば、レンズ着脱でセンサークリーニングする仕様で、充電停止要因がレンズ着脱だった場合はここでセンサークリーニング部１５１を制御してセンサークリーニングを行う。ステップＳ１４６では、ステップＳ１０１と同様の内容で充電開始条件がそろっているか否かを判定する。そろっている間は判定を繰り返す。そろっていない場合は終了する。
【００４２】
以上説明したように、実施形態４によれば、満充電と判定して充電停止した場合以外には次に充電開始する際の充電開始判定に電池残量を用いない。これによって満充電以外の要因で充電を停止、再開した場合に、満充電まで充電させることが可能になる。
【００４３】
なお、本発明の実施形態は上述の実施形態１、２、３または４に限定されるものではない。発明の要旨を逸脱しない範囲で変更または修正された上述の実施形態１、２、３または４も本発明の実施形態に含まれる。
【符号の説明】
【００４４】
１００  撮像装置
１０１  接続部
１０７  電池
１１０  制御部
【図１】
2019191441.tif 000003
【図２】
2019191441.tif 000004
【図３】
2019191441.tif 000005
【図４】
2019191441.tif 000006
【図５】
2019191441.tif 000007
【図６】
2019191441.tif 000008